(57)【要約】      （修正有）【課題】実用性が高く、感覚器官への刺激を高めることができるマッサージ補助装置を提供する。【解決手段】カバー本体１１および検知モジュール１２を含む。カバー本体１１は、互いに着脱可能な第１のカバー１１１および第２のカバー１１２を含み、収容空間１１０を形成する。検知モジュール１２は、第１のカバー１１１上に配置され、回路基板１２１、制御スイッチ１２２、振動スイッチ１２３、および出力プラグ１２４を含む。制御スイッチ１２２は、男性生殖器の挿入を検知し、振動スイッチ１２３の起動を制御することができる。振動スイッチ１２３は、振動信号を出力し、出力プラグ１２４から、振動信号を外部に伝送する。本マッサージ補助装置は、インタラクティブメディアと組み合わせて使用することができ、これにより、実用性を高め、感覚器官への刺激を高めることができる。【選択図】図２
0003158571.tif 000002
【実用新案登録請求の範囲】
【請求項１】
互いに着脱可能な第１のカバーおよび第２のカバーを含み、前記第１のカバーおよび前記第２のカバーにより、収容空間が形成されるカバー本体と、
前記第１のカバー上に配置され、回路基板と、前記回路基板に電気的に接続される制御スイッチと、前記回路基板上に配置される振動スイッチと、出力プラグと、を含み、前記制御スイッチは、男性生殖器の挿入を検知し、前記振動スイッチの起動を制御し、前記振動スイッチは、振動信号を出力し、前記出力プラグから、前記振動信号を外部に伝送する検知モジュールと、を含むことを特徴とするマッサージ補助装置。
【請求項２】
前記カバー本体は、円筒形であることを特徴とする請求項１記載のマッサージ補助装置。
【請求項３】
前記収容空間には、男性用マッサージ用具が配置されることを特徴とする請求項１記載のマッサージ補助装置。
【請求項４】
前記男性用マッサージ用具は、シリコンからなることを特徴とする請求項３記載のマッサージ補助装置。
【請求項５】
前記制御スイッチは、機械式の制御スイッチであることを特徴とする請求項１記載のマッサージ補助装置。
【請求項６】
前記制御スイッチは、光センサ式の制御スイッチであることを特徴とする請求項１記載のマッサージ補助装置。
【請求項７】
前記振動スイッチは、ボールスイッチ、水銀スイッチまたは揺動スイッチであることを特徴とする請求項１記載のマッサージ補助装置。
【請求項８】
前記出力プラグは、コンピュータのインタラクティブメディアに接続されることを特徴とする請求項１記載のマッサージ補助装置。
【請求項９】
前記インタラクティブメディアは、インタラクティブ映像またはインタラクティブアニメーションであることを特徴とする請求項８記載のマッサージ補助装置。
【請求項１０】
前記第１のカバーは、上端および底端を含み、前記制御スイッチは、前記上端の近くに配置され、前記回路基板は、前記底端の近くに配置されることを特徴とする請求項１記載のマッサージ補助装置。
【考案の詳細な説明】
【技術分野】
【０００１】
本考案は、マッサージ効果を高める技術に関し、特に、男性生殖器に使用するマッサージ補助装置に関する。
【背景技術】
【０００２】
人体構造の関係から、人は、各種の欲望を有する。これらの欲望には、食欲、購買欲、金銭欲、性欲などの欲望が含まれる。性欲について述べると、決まった交際相手がいる場合、その相手と性生活を送ることにより、性欲が解消され、心身の健康維持および健康増進が達成される。性行為を行う相手がいない場合、衛生的であり、便利に使用でき、複雑な異性問題が発生しないことから、各種のマッサージ用具を使用して性欲を解消するのが最も優れた方法である。
【０００３】
マッサージ用具は、性欲を解消できる上、使用および収納に便利であるため、市場において、様々な構造のマッサージ用具が存在する。マッサージ用具は、性行為を行う相手がいない人が使用して性欲を解消するだけでなく、性行為を行う相手がいる人も、マッサージ用具を使用することにより、性生活の品質を高めることができ、相手との感情を向上させることができる。医学的にも、人体構造の関係から、男性の性欲は、女性より数倍強いことが証明されている。従って、市場においては、男性が自慰を行うのに使用されるマッサージ用具が多く見られる。
【０００４】
例えば、従来の男性用マッサージ補助装置には、特許文献１が存在する。特許文献１は、計数機能を有するカバーを含む。カバー内には、男性生殖器の動作の回数を計算する計数装置と、無線信号を発信する無線信号モジュールと、が配置される。無線信号モジュールは、計数装置が計数した回数に基づき、様々な信号を生成する。次に、ＣＰＵを通じ、受信した信号に基づき、対応する感覚器官刺激モジュールを起動することにより、効果の高いマッサージを達成する。
【０００５】
しかし、この種のマッサージ補助装置は、予め、振動回数が設定され、ユーザが自らその回数までマッサージ補助装置を振動させたとき、感覚器官刺激モジュールが起動される構造となっている。このため、ユーザは、いつ感覚器官刺激モジュールが起動されるかを予期することができる。従って、長期に渡って使用した場合、ユーザが感じる刺激が低減する。また、感覚器官刺激モジュールは、振動効果および音声効果しか有さず、視覚を刺激する効果を有さないため、実用性が低い。
【先行技術文献】
【特許文献】
【０００６】
【特許文献１】台湾専利証書号第Ｍ３５８６４１
【考案の概要】
【考案が解決しようとする課題】
【０００７】
本考案の第１の目的は、インタラクティブメディアを組み合わせて使用することにより、実用性を高め、感覚器官への刺激を高めることができるマッサージ補助装置を提供することにある。
本考案の第２の目的は、男性用マッサージ用具を組み合わせて使用することにより、快適性および安全性を高めることができるマッサージ補助装置を提供することにある。
本考案の第３の目的は、装置全体の構造が簡単であり、製造コストを低減することができるマッサージ補助装置を提供することにある。
【課題を解決するための手段】
【０００８】
上述の課題を解決するために、本考案のマッサージ補助装置は、カバー本体および検知モジュールを含む。カバー本体は、互いに着脱可能な第１のカバーおよび第２のカバーを含む。第１のカバーおよび第２のカバーにより、収容空間が形成される。検知モジュールは、第１のカバー上に配置される。検知モジュールは、回路基板と、回路基板に電気的に接続される制御スイッチと、回路基板上に配置される振動スイッチと、出力プラグと、を含む。制御スイッチは、男性生殖器の挿入を検知し、振動スイッチの起動を制御することができる。振動スイッチは、振動信号を出力し、出力プラグから、振動信号を外部に伝送する。
カバー本体は、円筒形であり、収容空間には、男性用マッサージ用具が配置される。出力プラグは、コンピュータのインタラクティブメディアに電気的に接続される。
【０００９】
本考案は下記の特徴を有する。
（１）互いに着脱可能な第１のカバーおよび第２のカバーを含み、前記第１のカバーおよび前記第２のカバーにより、収容空間が形成されるカバー本体と、
前記第１のカバー上に配置され、回路基板と、前記回路基板に電気的に接続される制御スイッチと、前記回路基板上に配置される振動スイッチと、出力プラグと、を含み、前記制御スイッチは、男性生殖器の挿入を検知し、前記振動スイッチの起動を制御し、前記振動スイッチは、振動信号を出力し、前記出力プラグから、前記振動信号を外部に伝送する検知モジュールと、を含むことを特徴とするマッサージ補助装置。
（２）前記カバー本体は、円筒形であることを特徴とする（１）記載のマッサージ補助装置。
（３）前記収容空間には、男性用マッサージ用具が配置されることを特徴とする（１）記載のマッサージ補助装置。
（４）前記男性用マッサージ用具は、シリコンからなることを特徴とする（３）記載のマッサージ補助装置。
（５）前記制御スイッチは、機械式の制御スイッチであることを特徴とする（１）記載のマッサージ補助装置。
（６）前記制御スイッチは、光センサ式の制御スイッチであることを特徴とする（１）記載のマッサージ補助装置。
（７）前記振動スイッチは、ボールスイッチ、水銀スイッチまたは揺動スイッチであることを特徴とする（１）記載のマッサージ補助装置。
（８）前記出力プラグは、コンピュータのインタラクティブメディアに接続されることを特徴とする（１）記載のマッサージ補助装置。
（９）前記インタラクティブメディアは、インタラクティブ映像またはインタラクティブアニメーションであることを特徴とする（８）記載のマッサージ補助装置。
（１０）前記第１のカバーは、上端および底端を含み、前記制御スイッチは、前記上端の近くに配置され、前記回路基板は、前記底端の近くに配置されることを特徴とする（１）記載のマッサージ補助装置。
【考案の効果】
【００１０】
本考案のマッサージ補助装置は、収容空間に男性用マッサージ用具が配置され、男性生殖器を直接男性用マッサージ用具内に挿入することにより、制御スイッチが起動し、振動スイッチが制御されて振動信号を伝送する。振動信号は、出力プラグを通じ、外部に接続されたコンピュータに伝送される。これにより、コンピュータのインタラクティブメディアと相互作用することができ、ユーザは、触覚、聴覚および視覚から感覚器官を刺激することができるため、装置全体の実用性を高め、感覚器官への刺激を高めることができる。
【図面の簡単な説明】
【００１１】
【図１】本考案の一実施形態によるマッサージ補助装置を示す分解斜視図である。
【図２】本考案の一実施形態によるマッサージ補助装置を示す斜視図である。
【図３】本考案の他の実施形態によるマッサージ補助装置を示す分解斜視図である。
【図４】本考案の他の実施形態によるマッサージ補助装置を示す斜視図である。
【図５】本考案の他の実施形態によるマッサージ補助装置を使用する状態を示す側面断面図である。
【図６】本考案の他の実施形態によるマッサージ補助装置を使用する状態を示す斜視図である。
【考案を実施するための形態】
【００１２】
以下に実施形態を例示することにより、本考案の実施方式を説明する。当業者は、本明細書に記載される内容から、本考案の長所および効果を簡単に理解することができる。
【００１３】
以下に図面に沿って本考案の実施形態を説明する。ここで、図面は、本考案の基本概念を簡素に示したものである。図面は、本考案に関連する構造を例示したものであり、本考案を実際に実施するときの部材の数、形状および寸法を示すわけではない。本考案を実際に実施するとき、各部材の形態、数および比率は、図面により、限定されず、必要に応じ、変更することができる。
【００１４】
図１および図２を参照する。図１は、本考案の一実施形態によるマッサージ補助装置を示す分解斜視図である。図２は、本考案の一実施形態によるマッサージ補助装置を示す斜視図である。図１および図２に示すように、本考案のマッサージ補助装置１は、カバー本体１１および検知モジュール１２を含む。
【００１５】
カバー本体１１は、互いに着脱可能な第１のカバー１１１および第２のカバー１１２を含む。第１のカバー１１１および第２のカバー１１２により、収容空間１１０が形成される。
【００１６】
検知モジュール１２は、第１のカバー１１１上に配置される。検知モジュール１２は、回路基板１２１、制御スイッチ１２２、振動スイッチ１２３および出力プラグ１２４を含む。制御スイッチ１２２は、回路基板１２１に電気的に接続される。振動スイッチ１２３は、回路基板１２１上に配置され、回路基板１２１に電気的に接続される。出力プラグ１２４は、一方の端部が回路基板１２１に電気的に接続され、他方の端部が第１のカバー１１１の外部に延伸され、外部のコンピュータまたはノートパソコン（図１および図２には図示せず）に電気的に接続することができる。第１のカバー１１１は、上端および底端を含む。制御スイッチ１２２は、上端の近くに配置される。回路基板１２１は、底端の近くに配置される。また、制御スイッチ１２２は、男性生殖器３の挿入を検知し、振動スイッチ１２３の起動を制御する。振動スイッチ１２３は、振動信号を出力し、出力プラグ１２４から、振動信号を外部のコンピュータまたはノートパソコンに伝送する。
【００１７】
本実施形態において、カバー本体１１は、円筒形であり、第１のカバー１１１および第２のカバー１１２は、何れも半円筒形であるが、これに限定されない。他の実施形態において、カバー本体１１は、他の同等効果を有する形状とすることができる。制御スイッチ１２２は、機械式、光センサ式またはタッチ式の制御スイッチとすることができる。また、振動スイッチ１２３は、ボールスイッチ、水銀スイッチまたは揺動スイッチなど、他の同等効果を有するスイッチとすることができる。
【００１８】
図３は、本考案の他の実施形態によるマッサージ補助装置を示す分解斜視図である。図４は、本考案の他の実施形態によるマッサージ補助装置を示す斜視図である。図５は、本考案の他の実施形態によるマッサージ補助装置を使用する状態を示す側面断面図である。図６は、本考案の他の実施形態によるマッサージ補助装置を使用する状態を示す斜視図である。
【００１９】
図３〜図６に示すように、本実施形態によるマッサージ補助装置１は、主に、男性用マッサージ用具２と組み合わせて使用される。第１のカバー１１１および第２のカバー１１２が男性用マッサージ用具２を被覆することにより、男性用マッサージ用具２は、収容空間１１０内に位置決めされる。男性用マッサージ用具２の上部および底部は、マッサージ補助装置１の外部に突出する（図４を参照）。本実施形態において、男性用マッサージ用具２は、シリコンからなるため、好適な弾性を有する。また、男性用マッサージ用具２の中央には、穿孔２１が設けられ、実際に使用するときは、男性生殖器３を穿孔２１内に直接挿入する。このとき、男性マッサージ用具２は、男性生殖器３によって押圧され、外側に拡張することにより、男性マッサージ用具２の外側が制御スイッチ１２２を圧迫し、制御スイッチ１２２が振動スイッチ１２３を起動させる。このとき、ユーザがカバー本体１１を上下に移動（即ち、自慰動作）させると、振動スイッチ１２３が外力による振動を検知し、その情報を伝送する。図６に示すように、出力プラグ１２４がコンピュータまたはノートパソコン４に電気的に接続されるため、振動スイッチ１２３が出力した振動信号は、符号化された後、出力プラグ１２４からノートパソコン４に伝送される。次に、ノートパソコン４上のインタラクティブメディア（例えば、インタラクティブ映像またはインタラクティブアニメーション）と相互作用することにより、ユーザは、触覚、視覚および聴覚から感覚器官が刺激され、最も優れた使用効果を達成することができる。
【００２０】
本考案のマッサージ補助装置は、従来技術と比較し、全体の構造が簡単であり、男性用マッサージ用具と組み合わせて使用することができるため、男性用マッサージ用具の実用性を高めることができる。また、コンピュータのインタラクティブメディアに接続することにより、複数の感覚器官を刺激することができるため、実用性が高く、感覚器官への刺激を高めることができる。
【００２１】
上述の詳細な説明および図面に示す内容は、本考案の好適な実施形態を示すものであり、本考案の主旨を逸脱しない範囲において、各種の修飾および変更を行なうことができる。即ち、当業者は、本考案の形式、構造、配置、比率、材料、部材などの変更を行なうことができる。従って、本明細書に記載される実施形態は、本考案を限定するものではない。本考案の範囲は、実用新案登録請求の範囲により画定される。
【符号の説明】
【００２２】
１  マッサージ補助装置
１１  カバー本体
１１０  収容空間
１１１  第１のカバー
１１２  第２のカバー
１２  検知モジュール
１２１  回路基板
１２２  制御スイッチ
１２３  振動スイッチ
１２４  出力プラグ
２  男性用マッサージ用具
２１  穿孔
３  男性生殖器
４  ノートパソコン
【図１】
0003158571.tif 000003
【図２】
0003158571.tif 000004
【図３】
0003158571.tif 000005
【図４】
0003158571.tif 000006
【図５】
0003158571.tif 000007
【図６】
0003158571.tif 000008